(57)【要約】【課題】遊技領域を形成する光透過性の有る合成樹脂からなる板状構造体への遊技部品の取付力の向上を図る。【解決手段】遊技部品４１の係合部４５が板状構造体４の部品取付孔４７に挿入され、止ねじ４８がドライバーのような工具で取付孔４４から係合部４５の内部に締結されると、係合部４５が径方向外側に広がり、この広がった係合部４５の外周面が部品取付孔４７の内面を径方向外側に押すように接触し、広がった係合部４５が部品取付孔４７の内部において径方向に突っ張り、板状構造体４と結合され、遊技部品４１が板状構造体４に取り付けられる。【選択図】図１
2005177364.tif 000002
【特許請求の範囲】
【請求項１】
遊技部品を光透過性の有る合成樹脂からなる板状構造体に取り付けたパチンコ機の遊技盤において、遊技部品が止ねじを挿入する取付孔と止ねじで径方向外側に広がることの可能な係合部とを備え、板状構造体が係合部の挿入可能な部品取付孔を備え、遊技部品の係合部が板状構造体の部品取付孔に挿入され、止ねじが遊技部品の取付孔から係合部の内部に締結されると、係合部が径方向外側に広がり、この広がった係合部の外周面が部品取付孔の内面を径方向外側に押すように接触し、広がった係合部が部品取付孔の内部において径方向に突っ張り、板状構造体と結合され、遊技部品が板状構造体に取り付けられたことを特徴とするパチンコ機の遊技盤。
【発明の詳細な説明】
【技術分野】
【０００１】
本発明は、遊技領域を形成する光透過性の有る合成樹脂からなる板状構造体への遊技部品の取付力が向上するパチンコ機の遊技盤に関する。
【背景技術】
【０００２】
パチンコ機やスロットマシンなどの遊技機は、遊技機枠の下部に液晶表示器を使用したプロジェクターと呼ばれる投影機を配置し、遊技機枠の上部に、反射鏡と、フレネルレンズからなる平板状の視野レンズと呼ばれるスクリーンとを配置し、投影機の投影光源から光を画像の表示されている液晶表示器に照射し、その投影光を投影機の投影レンズで拡大し、その拡大された投影光を反射鏡で前側に反射してスクリーンに上記液晶表示器で表示された画像を拡大して映写し、スクリーンに映し出された画像がスクリーンの前側に配置した光透過性の有る合成樹脂からなる遊技盤を通して遊技者に見せる構造のものが知られている。しかしながら、遊技盤の前面に入賞部品のような遊技部品を取り付ける場合、タッピングスクリューのような止ねじを遊技部品のねじ挿入孔から遊技盤のねじ取付孔に締結する過程において、止ねじがねじ取付孔に雌ねじを形成することによって、遊技盤のねじ取付孔の周囲が白濁して劣化し、画像が見にくくなるとともに、遊技部品の取付力が低下するという欠点がある。
【特許文献１】特開平８−９８９２９号公報
【発明の開示】
【発明が解決しようとする課題】
【０００３】
発明が解決しようとする問題点は、遊技盤に止ねじで雌ねじを形成することで、遊技部品の取付力が低下するという点である。
【課題を解決するための手段】
【０００４】
本発明に係るパチンコ機の遊技盤は、遊技部品を光透過性の有る合成樹脂からなる板状構造体に取り付けたパチンコ機の遊技盤において、遊技部品が止ねじを挿入する取付孔と止ねじで径方向外側に広がることの可能な係合部とを備え、板状構造体が係合部の挿入可能な部品取付孔を備え、遊技部品の係合部が板状構造体の部品取付孔に挿入され、止ねじが遊技部品の取付孔から係合部の内部に締結されると、係合部が径方向外側に広がり、この広がった係合部の外周面が部品取付孔の内面を径方向外側に押すように接触し、広がった係合部が部品取付孔の内部において径方向に突っ張り、板状構造体と結合され、遊技部品が板状構造体に取り付けられたことを最も主要な特徴とする。
【発明の効果】
【０００５】
本発明に係るパチンコ機の遊技盤は、遊技部品の係合部が板状構造体の部品取付孔に挿入され、止ねじがドライバーのような工具で取付孔から係合部の内部に締結されると、係合部が径方向外側に広がり、この広がった係合部が部品取付孔の内部において径方向に突っ張って板状構造体と結合され、遊技部品が板状構造体に取り付けられるので、止ねじが板状構造体に雌ねじを形成することがなく、板状構造体の部品取付孔の周囲が白濁することなく劣化もせず、板状構造体による遊技部品の取付力を向上することができるという利点がある。
【発明を実施するための最良の形態】
【０００６】
図１−図５は、第１実施形態である。図１のａ図は、遊技部品４１の取付部４３の周りを前側から示す。図１のｂ図は、遊技部品４１の取付部４３の周りを裏側から示す。図１のｃ図は、遊技部品４１と板状構造体４との取付構造を分解した断面を示す。図１のｄ図は、遊技部品４１の係合部４５を板状構造体４の部品取付孔４７に挿入した取付構造の断面を示す。図１のｅ図は、遊技部品４１と板状構造体４とを止ねじ４８で結合した取付構造の断面を示す。図２は、遊技盤１を分解して前側から示す。図３は、遊技盤１を分解して裏側から示す。図４は、パチンコ機の遊技機枠７１に遊技盤１を取り付ける場合を前側から分解して示す。図５は、パチンコ機の遊技盤１と映写装置６０と遊技機枠７１との関係を示す。
【０００７】
図２を参照し、パチンコ機における遊技盤１の前側の構造について説明する。遊技盤１は、非遊技領域を形成する遮光性の有る有色な合成樹脂からなる方形な周辺飾り構造体２と、遊技領域３を形成する光透過性の有る合成樹脂からなる板状構造体４とを備える。周辺飾り構造体２は、取付部５と丸形開口部６と発射通路７と外バンド８と内バンド９とアウト口周縁部１０と周辺飾り部１１と戻り球防止体１２と球反発体１３と証紙台１４および不正防止バンド１５を備える。取付部５は、遊技盤１を図４に示す遊技機枠７１に固定するためのものであって、周辺飾り構造体２と別材質の合成樹脂からロック挿入孔１６を備える形態に形成され、周辺飾り構造体２の右側に位置する上下隅部に、周辺飾り構造体２の裏側から図外のタッピングスクリューのような止ねじで取り付けられる。
【０００８】
丸形開口部６と内バンド９およびアウト口周縁部１０は、周辺飾り構造体２を合成樹脂で成形する場合に、周辺飾り構造体２と一緒に形成される。丸形開口部６は、周辺飾り構造体２の中央に、前後方向に貫通する。発射通路７は、丸形開口部６の左側部に沿う縦長な形状である。外バンド８は、ステンレスのような金属からなる帯板状であって、発射通路７の左側部から丸形開口部６の上部弧状縁部に沿う上方に凸となる弧状となって、周辺飾り構造体２の前面から前側に突出するように、周辺飾り構造体２に取り付けられる。内バンド９は、周辺飾り構造体２を合成樹脂で成形する場合に、周辺飾り構造体２と一緒に形成されるものであって、発射通路７の右側部から丸形開口部６の下部弧状縁部に沿い、下方に凸となる弧状となって、周辺飾り構造体２の前面から前側に突出する。アウト口周縁部１０は、周辺飾り構造体２を合成樹脂で成形する場合に、周辺飾り構造体２と一緒に形成されるものであって、内バンド９における下部弧状縁部の最下部において、アウト口１７を囲むように、内バンド９から丸形開口部６の内側に突出した格好に連接される。アウト口１７は、球を遊技盤１の前側から裏側に排出する孔である。
【０００９】
周辺飾り部１１は、周辺飾り構造体２を合成樹脂で成形する場合に、周辺飾り構造体２と一緒に形成されるものであって、内バンド９から外側に連接された意匠部である。証紙台１４は、周辺飾り構造体２と別材質の合成樹脂から形成され、周辺飾り構造体２の右側の下部に、図外の軸で、前後方向に開閉可能に取り付けられる。証紙台１４が、図２に示すように、周辺飾り構造体２との連結部である図外の軸を回転中心として前方に開かれることによって、下部の取付部５が、周辺飾り構造体２の前側から見える格好となる。そして、証紙台１４が、上記軸を回転中心として後方に閉じられ、証紙台１４が、周辺飾り構造体２の証紙台受部１８で受け止められることによって、取付部５が、証紙台１４で覆われて周辺飾り構造体２の前側から見えなくなる。証紙台受部１８は、周辺飾り構造体２を合成樹脂で成形する場合に、周辺飾り構造体２と一緒に形成される。閉じられた証紙台１４の前面には、図外の証紙が、貼り付けられる。証紙は、遊技盤１が、図外の組合の検査に合格して販売の認可を受けたことを証明するためのものである。
【００１０】
戻り球防止弁１２は、外バンド７よりも厚さの薄い薄帯板状のステンレスまたは合成樹脂により形成される板ばねである。戻り球防止弁１２の一端部が、周辺飾り構造体２における内バンド９の発射通路７の球出口に位置する端部に取り付けられた場合、戻り球防止弁１２は、内バンド９から外バンド８の方向に位置する先端部に行くに従って、発射通路７の出口から遊技領域３の側に徐々に傾斜する格好になる。戻り球防止弁１２の先端は、外バンド８の遊技領域３の側に位置する内側面に接触するかまたは接触する程度に近づいていればよい。この接触する程度は、戻り球防止弁１２の先端と外バンド８の内側面との間に１個の球の直径よりも小さい隙間が存在し、遊技領域３から外バンド８の内側面に沿って発射通路７の側に逆行する球が、上記戻り球防止弁１２の先端と外バンド８の内側面との間に引っかかることも通過することもできない範囲であればよい。
【００１１】
発射機構１０３（図４参照）から発射された球が、発射通路７から戻り球防止弁１２を押し開けることによって、戻り球防止弁１２の先端部が、外バンド８から離れるように、戻り球防止弁１２の内バンド９に取り付けられた一端部を基準として、戻り球防止弁１２が、全体的に遊技領域３の側に弾性変形する。そして、戻り球防止弁１２を押し開けた球が、戻り球防止弁１２から遊技領域３の側に離れることによって、戻り球防止弁１２の先端部が、外バンド８に近づくように、戻り球防止弁１２が、全体的に図２に示す形態に復元する。このように戻り球防止弁１２が、復元した形態において、発射通路７から遊技領域３に発射された球が、遊技領域３から発射通路７の側に逆行してきた場合、当該球が、戻り球防止弁１２に衝突し、戻り球防止弁１２が、当該球を遊技領域３から発射通路７に取り込まれることを防止して遊技領域３に跳ね返す。
【００１２】
球反発体１３は、ゴム又は合成樹脂からなる弾性体であって、周辺飾り部１１における丸形開口部６と連接される端部に、周辺飾り構造体２の裏面から取り付けられることによって、球反発体１３の先端部が丸形開口部６の内部に突出する。そして、発射通路７から外バンド８に沿って発射された球が、丸形開口部６の内部に突出した球反発体１３の先端部に衝突すると、球反発体１３が衝突した球を丸形開口部６で囲まれた遊技領域３の中央の方向に跳ね返す。不正防止バンド１５は、周辺飾り構造体２と別材質の合成樹脂から形成され、周辺飾り構造体２の下部に、左右方向に延長した形状に取り付けられる。そして、図４に示すパネル枠８１が、閉じられることによって、不正防止バンド１５が、図４に示す前面パネル８４の内側面（遊技盤１の側に位置する面）に接触し、遊技者が、ピアノ線や合成樹脂製薄帯板などの不正操作部材を遊技領域３よりも下方の図４に示す遊技機枠７１の前側から遊技機枠７１の前面構成部品間の隙間を経由して遊技領域３に挿入しようとした場合、パネルの内側面に接触した不正防止バンド１５が、不正操作部材を受け止めて不正操作部材の遊技領域３への侵入を防止する。
【００１３】
板状構造体４は、周辺飾り構造体２の発射通路７を除く丸形開口部６で囲まれる遊技領域３を形成する、例えば、ポリカーボネート樹脂やアクリル樹脂のような、無色の光透過性の有る合成樹脂からなるものである。板状構造体４の前面には、センター飾り２１、一般入賞部品２２、作動入賞部品２３、始動入賞部品２４、可変入賞部品２５、遊技釘２６、風車２９などの遊技部品が、遊技領域３に位置して、取り付けられる。一般入賞部品２２は、球を遊技領域３から取り込み、当該取り込んだ球を遊技領域３の裏側に排出する、取込形である。一般入賞部品２２の内部には、図外の一般入賞球検出器を備える。作動入賞部品２３は、球を遊技領域３から取り込み、当該取り込んだ球を遊技領域３の裏側に取り込むことなく、遊技領域３に排出する、通過形である。作動入賞部品２３の内部には、図外の作動入賞球検出器を備える。始動入賞部品２４は、一対の羽根２７の下部を開閉軸とし、一対の羽根２７を図外の始動駆動源で左右方向に開閉する電動チューリップと呼ばれる構造である。
【００１４】
始動入賞部品２４は、球を遊技領域３から取り込み、当該取り込んだ球を遊技領域３の裏側に排出する、取込形である。始動入賞部品２４の左右一対の羽根２７は、閉じた場合でも、球を受け入れ得る形態、受け入れない形態のいずれでも適用できる。始動入賞部品２４の内部には、図外の始動入賞球検出器を備える。可変入賞部品２５は、横長な長方形状の開閉体２８の下部を開閉軸とし、開閉体２８を図外の可変駆動源で前後方向に開閉するアタッカーまたは大入賞口と呼ばれる構造である。可変入賞部品２５の開閉体２８で閉じたり開かれたりする空洞形状の球受入部の内部には、カウントスイッチと呼ばれる図外の普通入賞球検出器と、Ｖスイッチと呼ばれる図外の特定入賞球検出器とを備える。可変入賞部品２５の球受入部に取り込まれた球は、普通入賞球検出器または特定入賞球検出器を通過した後に遊技盤１の裏側に排出される。よって、可変入賞部品２５は、取込形である。風車２９は、頭付釘のような軸３０が板状構造体４の遊技領域３から内部に打ち込まれることによって、板状構造体４に、回転可能に取り付けれる。周辺飾り構造体２の下部には、逃部３１が、可変入賞部品２５の真下の位置に、周辺飾り構造体２の下端面から内部に窪むとともに前後方向に貫通する窪み形状で、設けられる。そして、図２に示すように、センター飾り２１と一般入賞部品２２と作動入賞部品２３と始動入賞部品２４と可変入賞部品２５および遊技釘２６を備えた板状構造体４が、周辺飾り構造体２の裏側から周辺飾り構造体２に取り付けられることによって、遊技盤１が図４に示す形態に形成される。
【００１５】
図３を参照し、遊技盤１の裏側の構造について説明する。周辺飾り構造体２は、板状構造体収納部３３を備える。この実施形態の場合、板状構造体収納部３３は、周辺飾り構造体２の裏面から内部に窪む。板状構造体４の裏面には、集合樋３４が、図外のタッピングスクリューのような止ねじで取り付けられる。集合樋３４は、図２に示す一般入賞部品２２、始動入賞部品２４、可変入賞部品２５、アウト口１７から遊技盤１の裏側に排出された球を下方に誘導して排出する。そして、板状構造体４が、周辺飾り構造体２の裏側から板状構造体収納部３３に収納され、板状構造体４の前面が、板状構造体収納部３３の裏面に接触することによって、板状構造体４の上方の一側部３５が、図２に示す発射通路７の球出口端部３６とが、互いに左右方向に連接し、板状構造体４が、丸形開口部６の後側を塞いで丸形開口部６の内部に球の飛び交う遊技領域３を形成する。このように、板状構造体４が板状構造体収納部３３に収納され、図外のタッピングスクリューのような止ねじが、板状構造体４に形成された図外のねじ挿入孔から周辺飾り基体４に締結されることによって、遊技盤１が図４に示す形態に構成される。
【００１６】
図１を参照し、遊技部品４１と板状構造体４との取付構造について説明する。遊技部品４１は、図２に示す一般入賞部品２２、作動入賞部品２３、始動入賞部品２４、可変入賞部品２５などに相当する。図１のａ図に示すように、遊技部品４１は、部品本体４２から外側に突出する取付部４３を備える。取付部４３には、取付孔４４と係合部４５とを備える。取付孔４４は、取付部４３の前面から裏面に貫通する皿孔として形成された貫通孔である。係合部４５は、取付孔４４の周囲における取付部４３の裏面から裏側に突出する。図１のｂ図に示すように、係合部４５は、取付孔４４を囲む筒状である。係合部４５の周壁には、割溝４６が、係合部４５の裏端面から取付部４３の方向と取付孔４４の径方向とに開口したスリット状に形成される。図１のｃ図に示すように、板状構造体４には、部品取付孔４７が、板状構造体４の前面である遊技領域３と裏面とに貫通した形態に形成された例を図示したが、板状構造体４の前面から内部に窪み、板状構造体４の裏面に貫通していない行き止まりの孔であってよい。部品取付孔４７は、係合部４５の外径Ｄ１よりも大きな直径Ｄ２を有する（Ｄ１＜Ｄ２）。部品取付孔４７の直径Ｄ２は、図１のｅ図に示すように、皿頭付タッピングスクリューのような止ねじ４８が取付孔４４から係合部４５に締結されることで、係合部４５が径方向外側に広がった場合、当該広がった係合部４５が部品取付孔４７の内面を径方向外側に押すように接触し得る寸法である。係合部４５における取付部４３の裏面からの高さＨ１は、部品取付孔４７における板状構造体４の前面からの深さＨ２よりも小さい（Ｈ１＜Ｈ２）。
【００１７】
次に、遊技部品４１を板状構造体４に取り付ける場合について説明する。図１のｄ図において、遊技部品４１の係合部４５が、板状構造体４の前面から部品取付孔４７に挿入される。このように係合部４５と部品取付孔４７とが互いに嵌め合わされることによって、遊技部品４１を板状構造体４に取り付ける場合において、係合部４５が位置決めとして利用できる。そして、係合部４５と部品取付孔４７とが互いに嵌め合わされることによって、取付部４３の裏面と板状構造体４の前面とが、互いに接触して重ね合わされる。この場合、係合部４５の外周面と部品取付孔４７の内面との間には、隙間４９が存在する。このように隙間４９が存在すれば、係合部４５を部品取付孔４７に挿入する作業が容易となる。その後、図１のｅ図に示すように、止ねじ４８が、ドライバーのような工具により、遊技部品４１の前側から取付部４３の取付孔４４の内部および係合部４７の内部に雌ねじを形成しながら締結されることによって、係合部４７が、取付部４３との連接した部分を中心として径方向外側に広がり、この広がった係合部４５の先端部の外周面が、部品取付孔４７の内面を径方向外側に押すように接触する。つまり、広がった係合部４５が、部品取付孔４７の内部において、径方向に突っ張って板状構造体４と結合される。これによって、遊技部品４１が、板状構造体４に、取り付けられる。
【００１８】
実施形態の構造によれば、遊技部品４１の係合部４５が板状構造体４の部品取付孔４７に挿入され、止ねじ４８がドライバーのような工具で取付孔４４から係合部４５の内部に締結されると、係合部４５が径方向外側に広がり、この広がった係合部４５の外周面が部品取付孔４７の内面を径方向外側に押すように接触し、広がった係合部４５が部品取付孔４７の内部において径方向に突っ張り、板状構造体４と結合され、遊技部品４１が板状構造体４に取り付けられる。よって、止ねじ４８が板状構造体４に雌ねじを形成することがなく、板状構造体４の部品取付孔４７の周囲が白濁することがなく劣化せず、図５に示すスクリーン６４に映し出された鮮明な画像が見られるとともに、板状構造体４による遊技部品４１の取付力を向上することができるという利点がある。止ねじ４８が係合部４５の内部に締結される場合、係合部４７の内部に雌ねじが形成されるが、この雌ねじの形成によって、係合部４５の突っ張りによる板状構造体４に対する遊技部品４１の取付力が低下することはない。その理由は、係合部４５の内部に止ねじ４８が存在するので、係合部４５が止ねじ４８と板状構造体４とで径方向に挟まれているからである。
【００１９】
そして、板状構造体４に取り付けられた遊技部品４１を板状構造体４から取り外す場合、遊技部品４１の前側から止ねじ４８をドライバーのような工具で弛緩する方向に回転操作して係合部４５から遊技部品４１の前面の側に後退する。この止ねじ４８の後退によって、係合部４５の外径が部品取付孔４７の直径よりも小さく径方向内側に縮まることが可能となる。このように、係合部４５の外径が部品取付孔４７の直径よりも小さく径方向内側に縮まることが可能となった位置において、遊技部品４１が板状構造体４から前側に引き抜かれるのに伴い、係合部４５の外周面が部品取付孔４７の内面に接触しつつ径方向内側に縮まり、遊技部品４１を板状構造体４から前側に引き抜いて取り外すことができるという利点がある。
【００２０】
図４および図５を参照し、遊技盤１を用いたパチンコ機について説明する。図４において、映写装置６０が、遮光性合成樹脂からなる前側に開放した箱形の装置筐体６１に、投影機６２、反射鏡６３、スクリーン６４を組み付けた、ユニットと呼ばれる単一集合構造体として形成される。この映写装置６０のスクリーン６４が可動枠７５の裏側から遊技機枠７１の中央開口部９６に収納され、スクリーン６４の前面が遊技主体収納室９５の裏壁の前面と同一面内に位置される。そして、映写装置６０が遊技主体収納構造体７８の裏壁の裏面に取り付けられることによって、映写装置６０が可動枠７５に取り付けられる。また、遊技盤１の遊技領域３が前側に向けられ、遊技盤１が遊技機枠７１の前側から遊技主体収納室９５に挿入され、遊技盤１の下部が遊技主体棚１０１の上に載せられ、遊技盤１の左側部が遊技主体受部９８と遊技主体押圧部９７とで前後方向から挟まれた後、遊技盤１の右側部が後側に押され、遊技主体ロック部材９９のロック操作体１００が遊技盤１の取付部５のロック挿入孔１６に後側から挿入されて前側に突出した状態において、作業者がロック操作体１００を例えば右方向に９０度回転操作すると、ロック操作体１００がロック挿入孔１６の周りにおける取付部５と係合し、遊技盤１が可動枠７５に取り付けられる。遊技盤１が取り付けられた後、可動枠７５が閉じられるとともに、球皿構造体８２が閉じられる。
【００２１】
その状態において、球が球収納部９０に入れられた状態において、遊技者が発射操作機構９１を操作すると、発射機構１０３が球収納部９０から供給された球を１個ずつ発射操作機構９１の操作量に応じた発射力で遊技盤１の遊技領域３に発射する。遊技領域３に発射された球は、センター飾り２１や遊技釘２６または風車２９で流れを変えられるとともに、一般入賞部品２２と作動入賞部品２３および始動入賞部品２４の何れかに入賞する。また、始動入賞部品２４への入賞の結果として可変入賞部品２５の開閉体２８が開閉し、この開閉体２８の開放中において、遊技領域３から球が可変入賞部品２５に入賞する。これらの入賞の結果として、払出機構１０７が遊技機枠７１の裏側から遊技機枠７１の前側の球収納部９０に賞球としての球を払い出す。
【００２２】
図５において、投影機６２の液晶表示器６５が電気的に画像を表示し、投影機６２のＬＥＤのような投影光源６６が電気的に光を画像の表示されている液晶表示器６５に照射し、その投影光Ｌが投影機３の投影レンズ６７で拡大され、その拡大された投影光Ｌが反射鏡６３で前側に反射してスクリーン６４の全域に上記液晶表示器６５で表示された画像を拡大して映写し、遊技機枠７１の前側から遊技者がスクリーン６４に映し出された画像を閉じられたパネル枠８１の前面パネル８４と遊技盤１の丸形開口部１５および光透過性の有る合成樹脂からなる板状構造体３を通して見ることをできる。これによって、遊技者は、スクリーン６４に映し出された画像を遊技領域３の全域に見ながら遊技領域３に行き交う球の動きを見ることができる。
【００２３】
図６は、第２実施形態に係る遊技部品４１と板状構造体４との取付構造を示す。図６のａ図に示すように、部品取付孔４７が、板状構造体４の前面から裏側に行くに従って徐々に直径が大きくなる傾斜孔になっている。そして、遊技部品４１の係合部４５が、板状構造体４の前面から部品取付孔４７に挿入され、取付部４３の裏面と板状構造体４の前面とが、互いに接触して重ね合わされる。この場合、係合部４５の外周面と部品取付孔４７の内面との間には、隙間４９が存在する。次に、図６のｂ図に示すように、止ねじ４８が、ドライバーのような工具により、遊技部品４１の前側から取付部４３の取付孔４４の内部および係合部４７の内部に雌ねじを形成しながら締結されることによって、係合部４７が、取付部４３との連接した部分を中心として径方向外側に広がり、この広がった係合部４５の先端部の外周面が、部品取付孔４７の内面を径方向外側に押すように接触することによって、広がった係合部４５が、部品取付孔４７の内部において、径方向に突っ張って板状構造体４と結合される。これによって、遊技部品４１が、板状構造体４に、取り付けられる。このように、係合部４５が部品取付孔４７の内部で径方向に突っ張ることによって、係合部４５と部品取付孔４７とが楔効果を発揮するので、止ねじ４８の締結力を強くすればするほど、係合部４５が板状構造体４の内部に引き込まれることとなり、遊技部品４１が板状構造体４に、一層、強固に、結合されるという利点がある。
【００２４】
図７は、第３実施形態に係る遊技部品４１と板状構造体４との取付構造を示す。図７のａ図に示すように、遊技部品４１における係合部４３の先端部には、フック５０が、係合部４３より径方向外側に突出する。板状構造体４の裏面から内部に、部品取付孔４７よりも外径の大きな受孔５１が部品取付孔４７と同軸に形成される。受孔５１および部品取付孔４７は、部品取付孔４７の中心軸と直交する段差面５２で連接される。そして、遊技部品４１の係合部４５が、板状構造体４の前面から部品取付孔４７に挿入され、取付部４３の裏面と板状構造体４の前面とが、互いに接触して重ね合わされる。この場合、フック５０が部品取付孔４７を下方に通過して受孔５１に配置され、係合部４５の外周面と部品取付孔４７の内面との間、フック５０の外周面と受孔５１の内面との間には、隙間４９が存在する。次に、図７のｂ図に示すように、止ねじ４８が、ドライバーのような工具により、遊技部品４１の前側から取付部４３の取付孔４４の内部および係合部４７の内部に雌ねじを形成しながら締結されることによって、係合部４７が、取付部４３との連接した部分を中心として径方向外側に広がり、この広がった係合部４５のフック５１よりも上方の外周面が、部品取付孔４７の内面を径方向外側に押すように接触することによって、広がった係合部４５が、部品取付孔４７の内部において、径方向に突っ張って板状構造体４と結合される。これによって、遊技部品４１が、板状構造体４に、取り付けられる。このように、係合部４５のフック５１よりも上方の外周面が部品取付孔４７と段差面５２との連接部で径方向に突っ張ることによって、係合部４５と部品取付孔４７とが楔効果を発揮するので、止ねじ４８の締結力を強くすればするほど、係合部４５が板状構造体４の内部に引き込まれることとなり、遊技部品４１がと板状構造体４に、一層、強固に、結合されるという利点がある。また、止ねじ４８で板状構造体４に結合された遊技部品４１が、前側に引っ張れれた場合、フック５１が、裏側から段差面５２に突き当たるので、当該遊技部品４１が引き抜かれるような不都合も防止することができるという利点がある。
【産業上の利用可能性】
【００２５】
止ねじは、丸頭付タッピングスクリューのような止ねじであってもよい。
【図面の簡単な説明】
【００２６】
【図１】ａ図は遊技部品の取付部の周りを前側から示す斜視図、ｂ図は遊技部品の取付部の周りを裏側から示す斜視図、ｃ図は、遊技部品と板状構造体との取付構造を示す分解断面図、ｄ図は係合部を部品取付孔に挿入した取付構造を示す断面図、ｅ図は遊技部品と板状構造体とを止ねじで結合した取付構造を示す断面図（第１実施形態）。
【図２】遊技盤を前側から示す分解斜視図（第１実施形態）。
【図３】遊技盤を裏側から示す分解斜視図（第１実施形態）。
【図４】パチンコ機を前側から示す分解斜視図（第１実施形態）。
【図５】遊技盤と映写装置と遊技機枠との関係を示す模式図（第１実施形態）。
【図６】遊技部品と板状構造体との取付構造を示す断面図（第２実施形態）。
【図７】遊技部品と板状構造体との取付構造を示す断面図（第３実施形態）。
【符号の説明】
【００２７】
１  遊技盤
４  板状構造体
４１  遊技部品
４４  取付孔
４５  係合部
４７  部品取付孔
４８  止ねじ
【図１】
2005177364.tif 000003
【図２】
2005177364.tif 000004
【図３】
2005177364.tif 000005
【図４】
2005177364.tif 000006
【図５】
2005177364.tif 000007
【図６】
2005177364.tif 000008
【図７】
2005177364.tif 000009